(57)【要約】【課題】物品と共に保冷材が収容される保冷容器において、収容空間における保冷材による保冷効果を良好に維持することができる保冷容器を提供することを課題とする。【解決手段】筒状に形成された本体側壁部と該本体側壁部の一端部を閉塞する本体底部と本体側壁部の他端部に形成された本体開口部とを備える容器本体部と、本体開口部から本体底部へ向かう一方向に沿って本体開口部に取り付けられる蓋体部とを備えており、本体開口部に蓋体部が取り付けられて収容空間が形成される保冷容器であって、蓋体部は、収容空間に配置された板状の保冷材と当接する保冷材当接部を備えており、保冷材保持部は、本体開口部に蓋体部が取り付けられた状態で、保冷材当接部に板状の保冷材が当接した状態が保持されるように構成される。【選択図】図２
2019131219.tif 000002
【特許請求の範囲】
【請求項１】
筒状に形成された本体側壁部と該本体側壁部の一端部を閉塞する本体底部と本体側壁部の他端部に形成された本体開口部とを備える容器本体部と、本体開口部から本体底部へ向かう一方向に沿って本体開口部に取り付けられる蓋体部とを備えており、
本体開口部に蓋体部が取り付けられて収容空間が形成される保冷容器であって、
蓋体部は、収容空間に配置された板状の保冷材と当接する保冷材当接部を備えており、
本体開口部に蓋体部が取り付けられた状態で、保冷材当接部に板状の保冷材が当接した状態が保持されるように構成される保冷容器。
【請求項２】
容器本体は、本体開口部に蓋体部が取り付けられた際に、前記一方向に対して交差する他方向から保冷材当接部に板状の保冷材が当接した状態を保持すると共に板状の保冷材が前記一方向に沿って配置された状態を保持する保冷材保持部を備える請求項１に記載の保冷容器。
【請求項３】
保冷材当接部は、本体開口部に蓋体部が取り付けられた状態で、本体側壁部と板状の保冷材との間に配置され、且つ、本体側壁部及び板状の保冷材と当接するように構成される請求項２に記載の保冷容器。
【請求項４】
保冷材保持部は、本体側壁部から離間した位置に前記一方向に沿って配置される保冷材保持壁を備え、該保冷材保持壁と本体側壁部との間に板状の保冷材を配置可能に構成されており、
本体開口部に蓋体部が取り付けられて本体側壁部と板状の保冷材との間に保冷材当接部が配置された際に、保冷材保持壁によって板状の保冷材が本体側壁部側へ押圧されるように構成される請求項３に記載の保冷容器。
【請求項５】
板状の保冷材が保冷材保持部に保持された状態で、板状の保冷材における本体底部側の端部から本体開口部側の端部へ向かって該端部間の長さの１／２以上２／３以下の領域が保冷材保持壁と重なるように構成される請求項４に記載の保冷容器。
【請求項６】
保冷材保持部は、保冷材保持壁と、該保冷材保持壁を取り付ける保持壁取付部とを備えており、該保持壁取付部に対して保冷材保持壁が着脱可能に構成される請求項４又は５に記載の保冷容器。
【請求項７】
蓋体部には、本体開口部に蓋体部が取り付けられた際に、本体底部側へ開放する蓋体凹部が形成されており、
保冷材保持部は、本体開口部に蓋体部が取り付けられた状態で、板状の保冷材における蓋体部側の端部が本体開口部よりも蓋体部側に位置し、且つ、該端部が蓋体凹部の内側に位置するように板状の保冷材を保持する請求項１乃至６の何れか一項に記載の保冷容器。
【発明の詳細な説明】
【技術分野】
【０００１】
本発明は、物品と保冷材とを収容する保冷容器に関する。
【背景技術】
【０００２】
物品を容器に収容した状態で保管したり搬送したりする際には、物品の品質等の状態を維持するべく、物品と共に保冷材が容器に収容される場合がある。斯かる容器としては、例えば、筒状に形成された本体側壁部と該本体側壁部の一端部を閉塞する本体底部と本体側壁部の他端部に形成された本体開口部とを備える容器本体部と、本体開口部に対して着脱可能に取り付けられる蓋体部とを備えるものが知られている。そして、本体開口部に蓋体部が取り付けられた状態で、物品と板状の保冷材とを収容可能な収容空間が形成される。
【０００３】
また、このような容器は、本体開口部を形成する本体側壁部の端部と蓋体部とが嵌合するように構成される場合がある。例えば、本体側壁部の端部と蓋体部とが凹凸嵌合するように構成されたり（特許文献１参照）、蓋体部の一部が本体開口部の内側から本体側壁部に摺接する（所謂、内嵌合する）ように構成されたりする場合がある。これにより、容器本体部に蓋体部を取り付けた状態が良好に維持されるため、収容空間における保冷材による保冷効果を良好に維持することが可能になる。
【先行技術文献】
【特許文献】
【０００４】
【特許文献１】特開２０１７−１２８３７８号公報
【発明の概要】
【発明が解決しようとする課題】
【０００５】
ところで、上記のような容器は、発泡樹脂を用いて形成される場合がある。具体的には、複数の発泡樹脂粒子を金型に充填し、蒸気過熱等することで一体的に成形することで、上記のような容器を形成することができる。このような発泡樹脂を用いて容器を形成することで、断熱性が比較的高くなるため、外気温の影響で収容空間の温度が上昇するのを抑制することができる。
【０００６】
しかしながら、上記のような容器は、継続的に使用されると、容器本体部と蓋体部との嵌合部分が摩耗し、容器本体部から蓋体部が意図せずに外れてしまう虞がある。また、容器本体部と蓋体部との嵌合部分が摩耗すると、容器本体部と蓋体部との間に隙間が生じ、該隙間を介して、容器の外側から内側へ熱が伝達される虞がある。このため、収容空間における保冷材による保冷効果を良好に維持することができなくなる虞がある。
【０００７】
そこで、本発明は、物品と共に保冷材が収容される保冷容器において、収容空間における保冷材による保冷効果を良好に維持することができる保冷容器を提供することを課題とする。
【課題を解決するための手段】
【０００８】
本発明に係る保冷容器は、筒状に形成された本体側壁部と該本体側壁部の一端部を閉塞する本体底部と本体側壁部の他端部に形成された本体開口部とを備える容器本体部と、本体開口部から本体底部へ向かう一方向に沿って本体開口部に取り付けられる蓋体部とを備えており、
本体開口部に蓋体部が取り付けられて収容空間が形成される保冷容器であって、
蓋体部は、収容空間に配置された板状の保冷材と当接する保冷材当接部を備えており、
本体開口部に蓋体部が取り付けられた状態で、保冷材当接部に板状の保冷材が当接した状態が保持されるように構成される。
【０００９】
斯かる構成によれば、収容空間に収容された板状の保冷材は、蓋体部が備える保冷材当接部に当接した状態が保持される。これにより、保冷材当接部と板状の保冷材とが当接することによって生じる摩擦によって、容器本体部に対する蓋体部の良好な取り付け状態を維持することができる。このため、容器本体部から蓋体部が意図せずに外れてしまったり、本体開口部を形成する本体側壁部の端部から蓋体部が浮き上がって容器本体部と蓋体部との間に隙間が生じたりするのを抑制することができる。これにより、収容空間における板状の保冷材による保冷効果を良好に維持することができる。
【００１０】
容器本体は、本体開口部に蓋体部が取り付けられた際に、前記一方向に対して交差する他方向から保冷材当接部に板状の保冷材が当接した状態を保持すると共に板状の保冷材が前記一方向に沿って配置された状態を保持する保冷材保持部を備えることが好ましい。
【００１１】
斯かる構成によれば、収容空間に収容された板状の保冷材は、容器本体部が備える保冷材保持部によって、蓋体部が備える保冷材当接部に前記他方向から当接した状態が保持される。これにより、保冷材当接部と板状の保冷材とが当接することによって生じる摩擦（前記一方向に生じる摩擦）によって、容器本体部に対する蓋体部の良好な取り付け状態を維持することができる。このため、容器本体部から蓋体部が意図せずに外れてしまったり、本体開口部を形成する本体側壁部の端部から蓋体部が浮き上がって容器本体部と蓋体部との間に隙間が生じたりするのを抑制することができる。これにより、収容空間における板状の保冷材による保冷効果を良好に維持することができる。
【００１２】
保冷材当接部は、本体開口部に蓋体部が取り付けられた状態で、本体側壁部と板状の保冷材との間に配置され、且つ、本体側壁部及び板状の保冷材と当接するように構成されることが好ましい。
【００１３】
斯かる構成によれば、保冷材当接部は、本体開口部に蓋体部が取り付けられた状態で、本体側壁部と板状の保冷材との間に配置されて本体側壁部及び板状の保冷材と当接するように構成される。これにより、保冷材当接部と板状の保冷材との当接による摩擦だけでなく、本体側壁部と板状の保冷材との当接による摩擦も生じることになる。このため、容器本体部に対する蓋体部の良好な取り付け状態をより確実に維持することができる。これにより、収容空間における板状の保冷材による保冷効果をより良好に維持することができる。
【００１４】
保冷材保持部は、本体側壁部から離間した位置に前記一方向に沿って配置される保冷材保持壁を備え、該保冷材保持壁と本体側壁部との間に板状の保冷材を配置可能に構成されており、本体開口部に蓋体部が取り付けられて本体側壁部と板状の保冷材との間に保冷材当接部が配置された際に、保冷材保持壁によって板状の保冷材が本体側壁部側へ押圧されるように構成されることが好ましい。
【００１５】
斯かる構成によれば、本体開口部に蓋体部が取り付けられて本体側壁部と板状の保冷材との間に保冷材当接部が配置された際に、保冷材保持壁によって板状の保冷材が本体側壁部側へ押圧されるように構成される。これにより、保冷材当接部が本体側壁部と板状の保冷材とに挟み込まれることになるため、本体側壁部及び板状の保冷材と保冷材当接部との間に生じる摩擦がより大きくなる。これにより、容器本体部に対する蓋体部の良好な取り付け状態を更に確実に維持することができる。これにより、収容空間における板状の保冷材による保冷効果を更に良好に維持することができる。
【００１６】
板状の保冷材が保冷材保持部に保持された状態で、板状の保冷材における本体底部側の端部から本体開口部側の端部へ向かって該端部間の長さの１／２以上２／３以下の領域が保冷材保持壁と重なるように構成されることが好ましい。
【００１７】
斯かる構成によれば、板状の保冷材が保冷材保持部に保持された状態で、板状の保冷材における本体底部側の端部から本体開口部側の端部へ向かって該端部間の長さの１／２以上２／３以下の領域が保冷材保持壁と重なるように構成される。ここで、収容空間における本体開口部の近傍の領域は、本体開口部を形成する本体側壁部の端部と蓋体部と接続部分に重なるため、外気温度の影響を受けやすい。しかしながら、上記のように構成されることで、板状の保冷材における保冷材保持壁と重ならない領域が本体開口部側に形成されるため、収容空間における本体開口部の近傍の領域を板状の保冷材によって冷却することができる。これにより、収容空間における板状の保冷材による保冷効果を良好に維持することができる。
【００１８】
保冷材保持部は、保冷材保持壁と、該保冷材保持壁を取り付ける保持壁取付部とを備えており、該保持壁取付部に対して保冷材保持壁が着脱可能に構成されることが好ましい。
【００１９】
斯かる構成によれば、保冷材保持部は、保冷材保持壁と、該保冷材保持壁を取り付ける保持壁取付部とを備えており、該保持壁取付部に対して保冷材保持壁が着脱自在に構成される。このため、保冷材保持壁が破損したり変形したりして板状の保冷材を本体側壁部側へ押圧できなくなっても、保冷材保持壁を交換することができる。また、保冷材保持壁を交換することで、板状の保冷材を本体側壁部側へ押圧する力を調節することができる。これにより、本体側壁部及び板状の保冷材と保冷材当接部との間に生じる摩擦を調節することができるため、容器本体部に対する蓋体部の着脱し易さを調節することができる。
【００２０】
蓋体部には、本体開口部に蓋体部が取り付けられた際に、本体底部側へ開放する蓋体凹部が形成されており、保冷材保持部は、本体開口部に蓋体部が取り付けられた状態で、板状の保冷材における蓋体部側の端部が本体開口部よりも蓋体部側に位置し、且つ、該端部が蓋体凹部の内側に位置するように板状の保冷材を保持することが好ましい。
【００２１】
斯かる構成によれば、保冷材保持部は、板状の保冷材における蓋体部側の端部が本体開口部よりも蓋体部側に位置し、且つ、該端部が蓋体凹部の内側に位置するように板状の保冷材を保持する。ここで、収容空間における本体開口部の近傍の領域と蓋体凹部の内側の領域は、外気温度の影響を受けやすい。しかしながら、上記のように構成されることで、本体開口部と重なる位置、及び、蓋体凹部の内側に板状の保冷材の一部が位置する。このため、収容空間における本体開口部の近傍の領域と蓋体凹部の内側の領域とを板状の保冷材によって冷却することができる。これにより、収容空間における板状の保冷材による保冷効果を良好に維持することができる。
【発明の効果】
【００２２】
以上のように、本発明によれば、物品と共に保冷材が収容される保冷容器において、収容空間における保冷材による保冷効果を良好に維持することができる。
【図面の簡単な説明】
【００２３】
【図１】本願発明の一実施形態に係る保冷容器を構成する部材を示した断面図。
【図２】図１のＩ−Ｉ断面を示した断面図。
【図３】同実施形態に係る保冷容器が形成された状態の断面図。
【図４】図３のＩＩ−ＩＩ断面を示した断面図。
【図５】他の実施形態に係る保冷容器における容器本体部と蓋体部との連結部分の近傍の断面図。
【図６】更に他の実施形態に係る保冷容器における容器本体部と蓋体部との連結部分の近傍の断面図。
【図７】更に他の実施形態に係る保冷容器における容器本体部と蓋体部との連結部分の近傍の断面図。
【発明を実施するための形態】
【００２４】
以下に、本発明に係る保冷容器の一実施形態について、図面を参照しつつ説明するが、本発明は、下記の実施形態の構成に限定されるものではない。また、以下の図面において同一または相当する部分には同一の参照符号を付しその説明は繰り返さない。
【００２５】
本発明の一実施形態である保冷容器１０は、図１，２に示すように、物品と板状の保冷材Ｘとを収容する内部空間を形成する容器本体部１と、該容器本体部１に取り付けられる蓋体部２とを備える。また、保冷容器１０は、容器本体部１に蓋体部２が取り付けられることで、物品と板状の保冷材Ｘとを収容可能な収容空間を形成するものである。
【００２６】
容器本体部１は、筒状に形成された本体側壁部１ａと、該本体側壁部１ａの一端部を閉塞する本体底部１ｂと、本体側壁部１ａの他端部に形成されて本体側壁部１ａの内側の空間を外側に開放する本体開口部１ｃとを備える。これにより、本体側壁部１ａと本体底部１ｂとで囲まれた内部空間が形成される。また、容器本体部１は、本体開口部１ｃに蓋体部２を着脱可能に構成される。
【００２７】
また、容器本体部１は、内部空間において板状の保冷材Ｘを所定位置に保持する保冷材保持部１ｄを備える。本実施形態では、容器本体部１は、容器本体部１の対向する位置に一対の保冷材保持部１ｄを備える。そして、容器本体部１は、一対の保冷材保持部１ｄの間に物品を収容可能に構成される。
【００２８】
保冷材保持部１ｄは、容器本体部１の内部空間に収容される板状の保冷材Ｘを、本体開口部１ｃから本体底部１ｂへ向かう一方向（以下では、上下方向とも記す）に沿って配置された（具体的には、起立した）状態に保持する。具体的には、保冷材保持部１ｄは、本体側壁部１ａから容器本体部１の内部空間の中央側へ離間した位置に上下方向に沿って配置される保冷材保持壁１ｅを備える。そして、保冷材保持部１ｄは、保冷材保持壁１ｅと本体側壁部１ａとの間に板状の保冷材Ｘが上下方向に沿って配置されることで、板状の保冷材Ｘを起立した状態に保持するように構成される。また、保冷材保持部１ｄは、保冷材保持壁１ｅと本体側壁部１ａとの間に板状の保冷材Ｘが配置された状態で、板状の保冷材Ｘと本体側壁部１ａとの間に隙間が形成されるように構成される。
【００２９】
また、保冷材保持部１ｄは、板状の保冷材Ｘを載置可能に構成された保冷材載置部１ｆを備える。該保冷材載置部１ｆは、本体側壁部１ａと保冷材保持壁１ｅとの間に形成される。また、保冷材載置部１ｆは、本体底部１ｂ側に位置する保冷材保持壁１ｅの端部（以下、下端部とも記す）よりも本体開口部１ｃ側に形成される。
【００３０】
そして、保冷材保持部１ｄは、板状の保冷材Ｘを保持した状態（保冷材載置部１ｆに板状の保冷材Ｘが載置された状態）で、板状の保冷材Ｘにおける本体底部１ｂ側の端部から本体開口部１ｃ側の端部へ向かって該端部間の長さの１／２以上２／３以下の領域が上下方向に交差する方向（以下、横方向とも記す）で保冷材保持壁１ｅと重なるように構成される。言い換えれば、保冷材保持部１ｄは、板状の保冷材Ｘを保持した状態（保冷材載置部１ｆに板状の保冷材Ｘが載置された状態）で、板状の保冷材Ｘにおける本体開口部１ｃ側の端部から本体底部１ｂ側の端部へ向かって該端部間の長さの１／３以上１／２以下の領域が横方向で保冷材保持壁１ｅと重ならないように構成される。
【００３１】
また、保冷材保持部１ｄは、板状の保冷材Ｘを保持した状態（保冷材載置部１ｆに板状の保冷材Ｘが載置された状態）で、本体開口部１ｃ側に位置する板状の保冷材Ｘの端部が容器本体部１の外側に位置する（言い換えれば、本体開口部１ｃよりも上方に位置する）ように構成される。つまり、保冷材保持部１ｄは、板状の保冷材Ｘと本体側壁部１ａの他端部（換言すれば、本体側壁部１ａと蓋体部２との当接部分）とが横方向において重なるように板状の保冷材Ｘを保持する。
【００３２】
また、保冷材保持部１ｄは、保冷材保持壁１ｅを取り付ける保持壁取付部１ｈを更に備え、該保持壁取付部１ｈに対して保冷材保持壁１ｅが着脱可能に構成される。具体的には、保冷材保持壁１ｅは、板状部材から構成されており、保持壁取付部１ｈは、本体底部１ｂに溝状に形成されている。本実施形態では、保持壁取付部１ｈは、本体底部１ｂに形成された底溝部１ｉと、本体側壁部１ａに上下方向に沿って形成される側壁溝部１ｊとが連なって構成される。そして、溝状の保持壁取付部１ｈに板状の保冷材保持壁１ｅの端部が挿入されることで保持壁取付部１ｈに対して保冷材保持壁１ｅが着脱可能に取り付けられる。
【００３３】
また、保冷材保持部１ｄは、保冷材保持壁１ｅを容器本体部１の中央側から支える保持壁支持部１ｋを更に備える。該保持壁支持部１ｋは、保冷材載置部１ｆから容器本体部１の中央側へ離間した位置に上下方向に沿って形成される。また、保持壁支持部１ｋは、本体底部１ｂから本体開口部１ｃ側へ延出するように形成される。また、保持壁支持部１ｋは、本体側壁部１ａから容器本体部１の内側へ延出するように形成される。そして、保冷材載置部１ｆと保持壁支持部１ｋとの間に保冷材保持壁１ｅが上下方向に沿って配置される。本実施形態では、保持壁支持部１ｋは、保冷材保持壁１ｅにおける上下方向に対して交差する横方向の両端部を指示するように一対設けられる。
【００３４】
また、容器本体部１は、本体側壁部１ａの他端部に蓋体部２と凹凸嵌合する嵌合凸部１ｇを備える。該嵌合凸部１ｇは、本体側壁部１ａの他端部における本体開口部１ｃ側の領域（環状に形成される本体側壁部１ａの他端部の内側の領域）に形成される。
【００３５】
蓋体部２は、本体開口部１ｃに取り付けられた際に、本体開口部１ｃを覆うように形成された蓋体本体部２ａと、該蓋体本体部２ａから本体底部１ｂ側へ突出する蓋体突出部２ｂとを備える。また、蓋体部２は、本体開口部１ｃに取り付けられた際に本体底部１ｂ側へ開放するように形成された蓋体凹部２ｃを備える。蓋体突出部２ｂは、蓋体本体部２ａの外周形状に沿って環状に（本実施形態では、連続した環状に）形成される。そして、蓋体本体部２ａと、環状の蓋体突出部２ｂとによって蓋体凹部２ｃが形成される。また、蓋体突出部２ｂの先端部（突出方向の端部）には、蓋体部２が容器本体部１に取り付けられた際に、容器本体部１の内側に配置される蓋体内側配置部２ｄが形成される。本実施形態では、蓋体内側配置部２ｄは、環状に形成された蓋体突出部２ｂの先端部の内側の領域に形成される。
【００３６】
また、蓋体部２は、本体開口部１ｃに取り付けられた際に、容器本体部１の内部空間に配置された板状の保冷材Ｘと当接するように構成された保冷材当接面２ｅを有する保冷材当接部２ｆを備える。該保冷材当接面２ｅは、蓋体部２が本体開口部１ｃに取り付けられた状態で、前記一方向（上下方向）に沿って形成される。また、保冷材当接面２ｅは、蓋体部２が本体開口部１ｃに取り付けられた状態で、収容空間に露出するように構成される。本実施形態では、保冷材当接面２ｅは、蓋体突出部２ｂの収容空間に接する面（具体的には、蓋体突出部２ｂにおける蓋体内側配置部２ｄを含む部分を形成する面）に形成される。つまり、本実施形態では、蓋体突出部２ｂの一部が板状の保冷材Ｘと当接する保冷材当接部２ｆを構成する。
【００３７】
また、蓋体部２は、容器本体部１と凹凸嵌合する嵌合凹部２ｇを備える。該嵌合凹部２ｇは、蓋体突出部２ｂの先端部における蓋体内側配置部２ｄよりも外側に形成される。
【００３８】
上記のように構成される保冷容器１０は、図３，４に示すように、容器本体部１に蓋体部２が取り付けられることで、物品と板状の保冷材Ｘとが収容される収容空間Ｒが形成される。この際、容器本体部１が備える嵌合凸部１ｇと蓋体部２が備える嵌合凹部２ｇとが凹凸嵌合すると共に、蓋体内側配置部２ｄ（本実施形態では、保冷材当接部２ｆ）が本体側壁部１ａの他端部（即ち、本体開口部１ｃ）と内嵌合するように構成される。
【００３９】
そして、蓋体内側配置部２ｄ（本実施形態では、保冷材当接部２ｆ）は、保冷材保持部１ｄに保持された板状の保冷材Ｘと本体側壁部１ａとの間に配置される。この際、蓋体内側配置部２ｄ（本実施形態では、保冷材当接部２ｆ）は、前記一方向に対して交差する他方向から本体側壁部１ａ及び板状の保冷材Ｘと当接した状態になる。そして、保冷材保持部１ｄによって板状の保冷材Ｘが保冷材当接部２ｆ（具体的には、保冷材当接面２ｅ）に当接した状態が維持される。具体的には、蓋体内側配置部２ｄ（本実施形態では、保冷材当接部２ｆ）が板状の保冷材Ｘと本体側壁部１ａとの間に配置されることで、板状の保冷材Ｘが保冷材保持壁１ｅを押圧した状態になる。この際、その押圧に対向する応力（具体的には、押圧されて湾曲した保冷材保持壁１ｅが復元する方向の力）によって板状の保冷材Ｘが本体側壁部１ａ側へ押圧された状態になる。これにより、板状の保冷材Ｘが保冷材当接部２ｆ（具体的には、保冷材当接面２ｅ）に当接した状態が維持される。
【００４０】
また、本体側壁部１ａと板状の保冷材Ｘとの間には、隙間Ｇが形成される。該隙間Ｇが形成されることで、容器本体部１と蓋体部２との間を通って収容空間Ｒに伝わる熱の伝達が一次的に緩衝される。これにより、収容空間Ｒの温度変化を抑制することができる。また、板状の保冷材Ｘにおける蓋体部２側の端部が蓋体凹部２ｃの内側に配置される。つまり、保冷材保持部１ｄ（具体的には、保冷材載置部１ｆ）は、板状の保冷材Ｘにおける蓋体部２側の端部が本体開口部１ｃよりも蓋体部２側に位置するように板状の保冷材Ｘを保持する。
【００４１】
なお、上記のように構成される保冷容器１０は、発泡樹脂を用いて形成されることが好ましい。発泡樹脂としては、特に限定されるものではなく、例えば、ポリスチレン系樹脂発泡体、ポリエチレン系樹脂発泡体、ポリプロピレン系樹脂発泡体、又は、ポリウレタン系樹脂発泡体等を用いることができる。また、これらの発泡樹脂の粒子が成形金型を用いて一体的に成形されて保冷容器１０が形成されてもよい。
【００４２】
また、保冷材保持壁１ｅを構成する素材としては、特に限定されるものではなく、例えば、低発泡ポリプロピレン等を用いることができる。また、保冷材保持壁１ｅは、支点間距離１００ｍｍで２０Ｎ（２ｋｇｆ）で荷重した際に変位が５ｍｍ程度であることが好ましい。
【００４３】
以上のように、本発明に係る保冷容器は、物品と共に保冷材が収容される保冷容器において、収容空間における保冷材による保冷効果を良好に維持することができる。
【００４４】
即ち、収容空間Ｒに収容された板状の保冷材Ｘは、容器本体部１が備える保冷材保持部１ｄによって、蓋体部２が備える保冷材当接部２ｆ（具体的には、保冷材当接面２ｅ）に当接した状態が維持される。これにより、保冷材当接部２ｆ（具体的には、保冷材当接面２ｅ）と板状の保冷材Ｘとが当接することによって生じる摩擦（前記一方向に生じる摩擦）によって、容器本体部１に対する蓋体部２の良好な取り付け状態を維持することができる。このため、容器本体部１から蓋体部２が意図せずに外れてしまったり、本体開口部１ｃを形成する本体側壁部１ａの端部から蓋体部２が浮き上がって容器本体部１と蓋体部２との間に隙間が生じたりするのを抑制することができる。これにより、収容空間Ｒにおける板状の保冷材Ｘによる保冷効果を良好に維持することができる。
【００４５】
また、保冷材当接部２ｆは、本体開口部１ｃに蓋体部２が取り付けられた状態で、本体側壁部１ａと板状の保冷材Ｘとの間に配置されて本体側壁部１ａ及び板状の保冷材Ｘと当接するように構成される。これにより、保冷材当接部２ｆが備える保冷材当接面２ｅと板状の保冷材Ｘとの当接による摩擦だけでなく、本体側壁部１ａと板状の保冷材Ｘとの当接による摩擦も生じることになる。このため、容器本体部１に対する蓋体部２の良好な取り付け状態をより確実に維持することができる。これにより、収容空間Ｒにおける板状の保冷材Ｘによる保冷効果をより良好に維持することができる。
【００４６】
また、本体開口部１ｃに蓋体部２が取り付けられて本体側壁部１ａと板状の保冷材Ｘとの間に保冷材当接部２ｆが配置された際に、保冷材保持壁１ｅによって板状の保冷材Ｘが本体側壁部１ａ側へ押圧されるように構成される。これにより、保冷材当接部２ｆが本体側壁部１ａと板状の保冷材Ｘとに挟み込まれることになるため、本体側壁部１ａ及び板状の保冷材Ｘと保冷材当接部２ｆとの間に生じる摩擦がより大きくなる。これにより、容器本体部１に対する蓋体部２の良好な取り付け状態を更に確実に維持することができる。これにより、収容空間Ｒにおける板状の保冷材Ｘによる保冷効果を更に良好に維持することができる。
【００４７】
また、板状の保冷材Ｘが保冷材保持部１ｄに保持された状態で、板状の保冷材Ｘにおける本体底部１ｂ側の端部から本体開口部１ｃ側の端部へ向かって該端部間の長さの１／２以上２／３以下の領域が保冷材保持壁１ｅと重なるように構成される。ここで、収容空間Ｒにおける本体開口部１ｃの近傍の領域は、本体開口部１ｃを形成する本体側壁部１ａの端部と蓋体部２と接続部分に重なるため、外気温度の影響を受けやすい。しかしながら、上記のように構成されることで、板状の保冷材Ｘにおける保冷材保持壁１ｅと重ならない領域が本体開口部１ｃ側に形成されるため、収容空間Ｒにおける本体開口部１ｃの近傍の領域を板状の保冷材Ｘによって冷却することができる。これにより、収容空間Ｒにおける板状の保冷材Ｘによる保冷効果を良好に維持することができる。
【００４８】
また、保冷材保持部１ｄは、保冷材保持壁１ｅと、該保冷材保持壁１ｅを取り付ける保持壁取付部１ｈとを備えており、該保持壁取付部１ｈに対して保冷材保持壁１ｅが着脱自在に構成される。このため、保冷材保持壁１ｅが破損したり変形したりして板状の保冷材Ｘを本体側壁部１ａ側へ押圧できなくなっても、保冷材保持壁１ｅを交換することができる。また、保冷材保持壁１ｅを交換することで、板状の保冷材Ｘを本体側壁部１ａ側へ押圧する力を調節することができる。これにより、本体側壁部１ａ及び板状の保冷材Ｘと保冷材当接部２ｆとの間に生じる摩擦を調節することができるため、容器本体部１に対する蓋体部２の着脱し易さを調節することができる。
【００４９】
また、保冷材保持部１ｄは、板状の保冷材Ｘにおける蓋体部２側の端部が本体開口部１ｃよりも蓋体部２側に位置し、且つ、該端部が蓋体凹部２ｃの内側に位置するように板状の保冷材Ｘを保持する。ここで、収容空間Ｒにおける本体開口部１ｃの近傍の領域と蓋体凹部２ｃの内側の領域は、外気温度の影響を受けやすい。しかしながら、上記のように構成されることで、本体開口部１ｃと重なる位置、及び、蓋体凹部２ｃの内側に板状の保冷材Ｘの一部が位置する。このため、収容空間Ｒにおける本体開口部１ｃの近傍の領域と蓋体凹部２ｃの内側の領域とを板状の保冷材Ｘによって冷却することができる。これにより、収容空間Ｒにおける板状の保冷材Ｘによる保冷効果を良好に維持することができる。
【００５０】
なお、本発明に係る保冷容器は、上記実施形態に限定されるものではなく、本発明の要旨を逸脱しない範囲で種々の変更が可能である。また、上記した複数の実施形態の構成や方法等を任意に採用して組み合わせてもよく（１つの実施形態に係る構成や方法等を他の実施形態に係る構成や方法等に適用してもよく）、さらに、他の各種の変更例に係る構成や方法等を任意に選択して、上記した実施形態に係る構成や方法等に採用してもよいことは勿論である。
【００５１】
例えば、上記実施形態では、蓋体内側配置部２ｄ（保冷材当接部２ｆ）は、本体側壁部１ａと板状の保冷材Ｘとの間に挟み込まれて、隙間Ｇが形成されるように構成されているが、これに限定されるものではない。例えば、図５に示すように、本体側壁部１ａの内面よりも容器本体部１の内側に蓋体内側配置部２ｄが位置しないように構成することで、隙間Ｇが形成されないように構成してもよい。
【００５２】
また、上記実施形態では、本体側壁部１ａと連結される（凹凸嵌合する）蓋体突出部２ｂは、保冷材当接部２ｆを構成するものであるが、これに限定されるものではない。例えば、本体側壁部１ａと連結される（凹凸嵌合する）蓋体突出部２ｂと保冷材当接部２ｆを構成する蓋体突出部２ｂとが別々になるように構成してもよい。具体的には、図６に示すように、本体側壁部１ａと連結される（凹凸嵌合する）蓋体突出部２ｂから離間した位置に、他の蓋体突出部２ｂを設け、斯かる蓋体突出部２ｂが保冷材当接部２ｆを構成するようにしてもよい。
【００５３】
また、上記実施形態では、蓋体部２は、板状の保冷材Ｘの片面に当接する保冷材当接部２ｆ（具体的には、保冷材当接面２ｅ）のみを備えるように構成されているが、これに限定されるものではない。例えば、図７に示すように、本体側壁部１ａと連結される（凹凸嵌合する）一の蓋体突出部２ｂとは別に、該一の蓋体突出部２ｂから離間した位置に、他の蓋体突出部２ｂを設け、一の蓋体突出部２ｂが備える保冷材当接部２ｆ（具体的には、保冷材当接面２ｅ）と他の蓋体突出部２ｂが備える保冷材当接部２ｆ（具体的には、保冷材当接面２ｅ）との間に板状の保冷材Ｘを配置して板状の保冷材Ｘの両面に保冷材当接部２ｆ（具体的には、保冷材当接面２ｅ）が当接するように構成してもよい。
【００５４】
また、上記実施形態では、保冷材保持部１ｄは、本体側壁部１ａと保冷材保持壁１ｅとの間に板状の保冷材Ｘを配置することで、板状の保冷材Ｘを上下方向に沿った状態に保持するように構成されているが、これに限定されるものではなく、例えば、本体底部１ｂに板状の保冷材Ｘの端部を差し込む溝部を形成し、該溝部に板状の保冷材Ｘの端部を差し込むことで、板状の保冷材Ｘが上下方向に沿った状態が維持されるように構成してもよい。
【００５５】
また、上記実施形態では、蓋体突出部２ｂが蓋体内側配置部２ｄを備えるように構成されているが、これに限定されるものではなく、例えば、蓋体本体部２ａから突出するように蓋体内側配置部２ｄが形成されてもよい。
【００５６】
また、上記実施形態では、保冷材保持部１ｄによって板状の保冷材Ｘが前記一方向（上下方向）に沿って配置された状態（具体的には、起立した状態）に保持されるように構成されているが、これに限定されるものではない。例えば、保冷材当接部２ｆが板状の保冷材Ｘに当接することによって板状の保冷材Ｘが起立した状態が保持されてもよい。具体的には、板状の保冷材Ｘにおける蓋体部２側の一端部が保冷材当接部２ｆに前記一方向（より詳しくは、下方から）から当接し、板状の保冷材Ｘにおける本体底部１ｂ側の他端部が本体底部１ｂに当接し、該当接状態が保持されるように構成されてもよい。
これにより、板状の保冷材Ｘの一端部と保冷材当接部２ｆとの間に生じる摩擦によって、板状の保冷材Ｘが起立した状態が保持される。つまり、保冷材当接部２ｆが保冷材保持部１ｄとしても機能するように構成してもよい。
【符号の説明】
【００５７】
１…容器本体部、１ａ…本体側壁部、１ｂ…本体底部、１ｃ…本体開口部、１ｄ…保冷材保持部、１ｅ…保冷材保持壁、１ｆ…保冷材載置部、１ｇ…嵌合凸部、１ｈ…保持壁取付部、１ｉ…底溝部、１ｊ…側壁溝部、１ｋ…保持壁支持部、２…蓋体部、２ａ…蓋体本体部、２ｂ…蓋体突出部、２ｃ…蓋体凹部、２ｄ…蓋体内側配置部、２ｅ…保冷材当接面、２ｆ…保冷材当接部、２ｇ…嵌合凹部、１０…保冷容器、Ｇ…隙間、Ｒ…収容空間、Ｘ…板状の保冷材
【図１】
2019131219.tif 000003
【図２】
2019131219.tif 000004
【図３】
2019131219.tif 000005
【図４】
2019131219.tif 000006
【図５】
2019131219.tif 000007
【図６】
2019131219.tif 000008
【図７】
2019131219.tif 000009